(57)【要約】【課題】複数の系統の伝送路を用いて送信装置から受信装置へ信号を伝送する信号伝送装置で、異なる伝送路を用いた場合に発生する遅延時間差を改善する。【解決手段】送信装置では、変調処理手段２、３、４が同一の信号に対して各系統毎に異なる処理時間を要する変調処理を行って各系統毎の変調処理結果の信号を各系統毎の伝送路４１、４２へ出力する。受信装置では、復調処理手段２１、２２が各系統毎の伝送路から受信される各系統毎の信号に対して各系統毎に異なる処理時間を要する復調処理を行い、調整手段２４が復調処理手段により得られた複数の系統の復調処理結果の信号のうちの１つ以上に対して遅延時間の調整を行い、選択手段２４が復調処理手段及び調整手段により得られた複数の系統の信号のうちの１つの系統の信号を選択して出力する。【選択図】  図１
2008131323.tif 000002
【特許請求の範囲】
【請求項１】
複数の系統の伝送路を用いて送信装置から受信装置へ信号を伝送する信号伝送装置において、
前記送信装置は、同一の信号に対して各系統毎に異なる処理時間を要する変調処理を行って各系統毎の変調処理結果の信号を各系統毎の伝送路へ出力する変調処理手段を備え、
前記受信装置は、各系統毎の伝送路から受信される各系統毎の信号に対して各系統毎に異なる処理時間を要する復調処理を行う復調処理手段と、
前記復調処理手段により得られた複数の系統の復調処理結果の信号のうちの１つ以上に対して遅延時間の調整を行う調整手段と、
前記復調処理手段及び前記調整手段により得られた複数の系統の信号のうちの１つの系統の信号を選択して出力する選択手段と、を備えた、
ことを特徴とする信号伝送装置。
【発明の詳細な説明】
【技術分野】
【０００１】
本発明は、送信装置から受信装置へ２系統以上の伝送路を用いて信号を伝送する信号伝送装置に関し、特に、異なる伝送路を用いた場合に発生する遅延時間差を改善した信号伝送装置に関する。
【背景技術】
【０００２】
例えば、デジタル放送システムでは、放送局（演奏所）等から送信所へデジタルデータ伝送装置によりデジタル放送信号を伝送することが行われる。デジタルデータ伝送装置は、デジタルデータを送信する送信装置と、デジタルデータを受信する受信装置と、これらの装置を接続する有線や無線の伝送路から構成される。
【０００３】
送信所では、デジタルデータ受信装置であるＳＴＬ（Ｓｔｕｄｉｏ  Ｔｒａｎｓｍｉｔｔｅｒ  Ｌｉｎｋ）受信装置が設置されており、放送局等に設置されたデジタルデータ送信装置であるＳＴＬ送信装置から送られてくるデジタル放送信号をＳＴＬ受信装置により受信する。
ＳＴＬ受信装置では、放送局等からのデジタル放送信号を予備の目的で設けられた２系統以上の受信機により受信し、各系統の受信機から出力される信号のうち１系統の信号を切替器により選択して出力することが行われる。
【０００４】
図４には、デジタルデータ伝送装置の構成例を示してある。
なお、図４では、後述する本発明の実施例で参照する図１に示される処理部と概略的に同様な処理部については同一の符号を付してあるが、ここでは、本発明を不要に限定する意図は無い。
図５（ａ）〜（ｉ）には、図４に示される各信号のタイミングの一例を示してある。なお、横軸は時刻ｔを表している。
【０００５】
本例のデジタルデータ伝送装置では、伝送信号源１から出力された信号（放送データ）を分配装置２により２つに分配し、それぞれの分配信号ａ１１、ａ１２を２個の変調器７１、７２のそれぞれにより変調処理する。各変調器７１、７２による変調処理には、誤り訂正符号化部８１、８３により行われる誤り訂正符号化処理と、インターリーブ部８２、８４により行われるインターリーブ処理（時間インターリーブ処理）が含まれる。
本例では、２個の変調器７１、７２において誤り訂正符号化処理及びインターリーブ処理が同一のモード（例えば、モード１と言う）で行われ、具体的には、同一の誤り訂正符号量で誤り訂正符号化処理が行われ、同一のインターリーブ時間でインターリーブ処理が行われる。
【０００６】
一方の変調器７１で変調された信号ａ１３は有線伝送路４１を介して伝送され、他方の変調器７２で変調された信号ａ１４は無線伝送路４２を介して伝送される。
有線伝送路４１を介して伝送された信号ｂ１１（信号ａ１３が伝送されたもの）を一方の復調器９１により復調処理し、無線伝送路４２を介して伝送された信号ｂ１２（信号ａ１４が伝送されたもの）を他方の復調器９２により復調処理する。各復調器９１、９２による復調処理には、デインターリーブ部１０１、１０３により行われるデインターリーブ処理（逆インターリーブ処理）と、誤り訂正部１０２、１０４により行われる誤り訂正処理が含まれる。
本例では、２個の復調器９１、９２においてデインターリーブ処理及び誤り訂正処理が、２個の変調器７１、７２に対応して、同一のモード（例えば、モード１と言う）で行われる。
【０００７】
２個の復調器９１、９２から出力される信号ｂ１３、ｂ１４には伝送路４１、４２における遅延差が発生しており、系統の選択を単純に行うと信号が途切れるため、制御部２３により制御される切替器２４により復調器９２からの出力信号ｂ１４に遅延を与え、遅延差を吸収した後に切り替えた信号ｂ１５を送信装置２５へ出力する。
【０００８】
図５において、（ａ）には変調器７１に入力される信号ａ１１のタイミングを示してあり、（ｂ）には変調器７２に入力される信号ａ１２のタイミングを示してあり、（ｃ）には変調器７１から出力される信号ａ１３のタイミングを示してあり、この信号ａ１３には変調器７１での遅延ｄ１１が発生しており、（ｄ）には変調器７２から出力される信号ａ１４のタイミングを示してあり、この信号ａ１４には変調器７２での遅延ｄ１１（変調器７１での遅延ｄ１１と同じ遅延時間）が発生している。
【０００９】
また、図５において、（ｅ）には復調器９１に入力される信号ｂ１１のタイミングを示してあり、この信号ｂ１１には有線伝送路４１での遅延ｄ１２が発生しており、（ｆ）には復調器９２に入力される信号ｂ１２のタイミングを示してあり、この信号ｂ１２には無線伝送路４２での遅延ｄ１３が発生している。
ここで、一般に、有線伝送路４１での遅延（遅延時間Ｄｗ）ｄ１２の方が無線伝送路４２での遅延（遅延時間Ｄｌ）ｄ１３より大きく、つまり、Ｄｗ＞Ｄｌとなり、２つの伝送路４１、４２を伝送した信号ｂ１１、ｂ１２に遅延差が生じる。
【００１０】
また、図５において、（ｇ）には復調器９１から出力される信号ｂ１３のタイミングを示してあり、この信号ｂ１３には復調器９１での遅延ｄ１４が発生しており、（ｈ）には復調器９２から出力される信号ｂ１４のタイミングを示してあり、この信号ｂ１４には復調器９２での遅延ｄ１５（復調器９１での遅延ｄ１４と同じ遅延時間）が発生しており、（ｉ）には切替器２４から出力される信号ｂ１５のタイミングを示してある。
【００１１】
【特許文献１】特開２００６−８０７７５号公報
【発明の開示】
【発明が解決しようとする課題】
【００１２】
しかしながら、図４及び図５を参照して説明したようなデジタルデータ伝送装置では、有線伝送路４１での遅延（Ｄｗ）ｄ１２と無線伝送路４２での遅延（Ｄｌ）ｄ１３に遅延差があるため、この遅延差（Ｄｗ−Ｄｌ）に応じた遅延メモリが必要であり、無線伝送路４２による受信データに遅延を与えて、その遅延量を有線伝送路４１による受信データに合わせる必要があった。
このように、上記のようなデジタルデータ伝送装置では、予備の目的で伝送特性（例えば、遅延特性や誤り率特性）が異なる伝送路（本例では、有線伝送路４１と無線伝送路４２）を使用して伝送されたデータを無瞬断で切り替える場合に、遅延差を吸収する遅延メモリが必要になるとともに、遅い経路（伝送路）の遅延（本例では、有線伝送路４１による遅延）に合わせるため、データ伝送装置としての遅延時間が大きくなってしまうといった問題があった。
【００１３】
本発明は、このような従来の事情に鑑み為されたもので、送信装置から受信装置へ２系統以上の伝送路を用いて信号を伝送するに際して、異なる伝送路を用いた場合に発生する遅延時間差を改善した信号伝送装置を提供することを目的とする。
【課題を解決するための手段】
【００１４】
上記目的を達成するため、本発明では、複数の系統の伝送路を用いて送信装置から受信装置へ信号を伝送する信号伝送装置において、次のような構成とした。
すなわち、前記送信装置では、変調処理手段が、同一の信号に対して、各系統毎に異なる処理時間を要する変調処理を行って、各系統毎の変調処理結果の信号を各系統毎の伝送路へ出力する。
前記受信装置では、復調処理手段が、各系統毎の伝送路から受信される各系統毎の信号に対して、各系統毎に異なる処理時間を要する復調処理を行う。調整手段が、前記復調処理手段により得られた複数の系統の復調処理結果の信号のうちの１つ以上に対して、遅延時間の調整を行う。選択手段が、前記復調処理手段及び前記調整手段により得られた複数の系統の信号のうちの１つの系統の信号を選択して出力する。
【００１５】
従って、送信装置から受信装置へ２系統以上の伝送路を用いて信号を伝送するに際して、各系統毎に異なる処理時間を要する変調処理及び復調処理を行うことにより、各系統毎の信号に発生する全体的な遅延時間を調整することができるため、異なる伝送路を用いた場合に発生する遅延時間差を改善することができる。
【００１６】
ここで、複数の系統の数としては、種々な数が用いられてもよい。
また、複数の系統は、例えば、予備のために備えられる。
また、各系統の伝送路としては、種々なものが用いられてもよく、例えば、遅延時間などの特性が異なる伝送路が用いられる。
また、信号としては、種々なものが用いられてもよく、一例として、放送用の信号を用いることができる。
【００１７】
また、変調処理及び復調処理には、例えば、誤り訂正符号化及び誤り訂正の処理や、インターリーブ及びデインターリーブの処理が含まれる。そして、誤り訂正符号量（誤り訂正符号化率）や、インターリーブ時間（及びデインターリーブ時間）を異ならせることにより、処理に要する時間を異ならせることができる。
例えば、伝送路Ａと伝送路Ｂとを比較したときに、伝送路Ａの方が伝送品質は良いが遅延時間が大きい場合には、伝送路Ａについての誤り訂正符号量やインターリーブ時間を小さくして処理時間を小さくすることにより、伝送路Ａにおける伝送品質を保持したまま全体的な処理時間を小さくすることができる。
【００１８】
また、遅延時間の調整としては、例えば、複数の系統の信号の全てについて行われてもよく、或いは、複数の系統の信号のうちの一部について行われてもよい。例えば、全ての系統の信号について全体的な遅延時間（つまり、最終的な出力信号のタイミング）が一致する（或いは、実用上で有効な程度で一致する）ように遅延時間の調整を行うと、系統を切り替えた時に遅延差を無くすことができる。
【００１９】
また、複数の系統の信号のうちの１つの系統の信号を選択する態様としては、種々な態様が用いられてもよく、例えば、１つの系統を現用として選択して他の系統を予備用として選択していないときに、現用の系統における信号の伝送品質が所定の条件と比べて低下した場合に、いずれかの予備用の系統を現用へ切り替えるような態様や、或いは、所定の周期毎のタイミングなどで、全ての系統における信号の伝送品質を検出して、最も伝送品質が高い系統を現用として選択して切り替えるような態様を用いることができる。
【発明の効果】
【００２０】
以上説明したように、本発明に係る信号伝送装置によると、複数の系統の伝送路を用いて送信装置から受信装置へ信号を伝送するに際して、各系統毎に異なる処理時間を要する変調処理及び復調処理を行うようにしたため、例えば、各系統における信号の品質を保持しつつ、各系統毎の信号に発生する全体的な遅延時間を調整することにより、異なる伝送路を用いた場合に発生する遅延時間差を改善することができる。
【発明を実施するための最良の形態】
【００２１】
本発明に係る実施例を図面を参照して説明する。
図１には、本発明の一実施例に係るデジタルデータ伝送装置（デジタルデータ送受信装置）の構成例を示してある。
本例のデジタルデータ伝送装置では、放送局（演奏所）等から送信所へデジタル放送信号を伝送する。
【００２２】
放送局（演奏所）等には、伝送信号源１と、分配装置（分配器）２と、誤り訂正符号化部１１及びインターリーブ部１２を有した変調器３と、誤り訂正符号化部１３及びインターリーブ部１４を有した変調器４を備えている。
送信所には、デインターリーブ部３１及び誤り訂正部３２を有した復調器２１と、デインターリーブ部３３及び誤り訂正部３４を有した復調器２２と、制御部（切替制御装置）２３と、切替器２４と、送信装置（放送装置）２５を備えている。
【００２３】
ここで、放送所（演奏所）等では、分配装置２や２個の変調器３、４を備えたＳＴＬ送信装置が設置されており、また、送信所では、２個の復調器２１、２２や制御部２３や切替器２４を備えたＳＴＬ受信装置が設置されている。
【００２４】
第１の送信機（１号系）となる変調器３と第１の受信機（１号系）となる復調器２１とは、第１の伝送路となる有線伝送路４１を介して接続されている。
第２の送信機（２号系）となる変調器４と第２の受信機（２号系）となる復調器２２とは、第２の伝送路となる無線伝送路４２を介して接続されている。
ここで、本例では、送信機と受信機と伝送路の組を予備の目的で２系統設けてあり、これらの２系統でデジタル放送信号をＳＴＬ送信装置からＳＴＬ受信装置へ伝送し、ＳＴＬ受信装置では各系統の受信機からの出力信号のうち１系統の信号を選択するように切り替える。
【００２５】
本例のデジタルデータ伝送装置において行われる動作の一例を示す。
伝送信号源１は、デジタル放送の対象となる信号（放送データ）を発生し、当該信号を分配装置２へ出力する。
分配装置２は、伝送信号源１から入力された信号を２つに分配し、それぞれの分配信号ａ１、ａ２を２個の変調器３、４のそれぞれへ出力する。
【００２６】
変調器３は、分配装置２から入力された信号ａ１に対して変調処理を行い、変調結果の信号ａ３を有線伝送路４１へ出力（送信）する。ここで、変調器３による変調処理には、誤り訂正符号化部１１により行われる誤り訂正符号化処理と、インターリーブ部１２により行われるインターリーブ処理（時間インターリーブ処理）が含まれる。
変調器４は、分配装置２から入力された信号ａ２に対して変調処理を行い、変調結果の信号ａ４を無線伝送路４２へ出力（無線送信）する。ここで、変調器４による変調処理には、誤り訂正符号化部１３により行われる誤り訂正符号化処理と、インターリーブ部１４により行われるインターリーブ処理（時間インターリーブ処理）が含まれる。
【００２７】
本例では、２個の変調器３、４のそれぞれにおいて誤り訂正符号化処理及びインターリーブ処理が異なるモードで行われ、具体的には、誤り訂正符号化処理における誤り訂正符号量とインターリーブ処理におけるインターリーブ時間の一方又は両方（つまり、複数のパラメータのうちの１つ以上）が各モードによって異なる。本例では、変調器４にモード１が設定され、変調器３にモード２が設定される。
【００２８】
変調器３から出力された信号ａ３は有線伝送路４１を介して伝送され、当該伝送された信号ｂ１が復調器２１に入力される。
変調器４から出力された信号ａ４は無線伝送路４２を介して伝送され、当該伝送された信号ｂ２が復調器２２に入力される。なお、無線伝送路４２を用いた無線通信では、送信側では送信のためのアンテナが使用され、受信側では受信のためのアンテナが使用される。
【００２９】
復調器２１は、有線伝送路４１から入力（受信）された信号ｂ１に対して復調処理を行い、復調結果の信号ｂ３を切替器２４へ出力する。ここで、復調器２１による復調処理には、デインターリーブ部３１により行われるデインターリーブ処理（逆インターリーブ処理）と、誤り訂正部３２により行われる誤り訂正処理が含まれる。
復調器２２は、無線伝送路４２から入力（無線受信）された信号ｂ２に対して復調処理を行い、復調結果の信号ｂ４を切替器２４へ出力する。ここで、復調器２２による復調処理には、デインターリーブ部３３により行われるデインターリーブ処理（逆インターリーブ処理）と、誤り訂正部３４により行われる誤り訂正処理が含まれる。
【００３０】
本例では、２個の復調器２１、２２のそれぞれにおいてデインターリーブ処理及び誤り訂正処理が異なるモードで行われ、具体的には、デインターリーブ処理におけるデインターリーブ時間と誤り訂正処理における誤り訂正符号量の一方又は両方（つまり、複数のパラメータのうちの１つ以上）が各モードによって異なる。本例では、復調器２２には変調器４に対応して同一のモード１が設定され、復調器２１には変調器３に対応して同一のモード２が設定される。
【００３１】
また、各復調器２１、２２から制御部２３へ切替器２４を制御するために参照される情報が出力される。
例えば、誤り訂正の結果に基づく誤り率の情報を各復調器２１、２２から制御部２３へ通知して、制御部２３が２個の復調器２１、２２から出力される信号ｂ３、ｂ４のうちで現在において選択されている方の信号の誤り率を監視し、当該誤り率が所定の閾値以下（又は、未満）となった場合に他方の信号を選択するように切り替えることが可能である。また、例えば、誤り訂正の結果に基づく誤り率の情報を各復調器２１、２２から制御部２３へ通知して、制御部２３が２個の復調器２１、２２から出力される信号ｂ３、ｂ４のうちで誤り率が小さい方の信号を選択するようなことが可能である。
【００３２】
また、例えば、各復調器２１、２２により処理される信号ｂ３、ｂ４の遅延時間に関する情報を各復調器２１、２２から制御部２３へ通知して、制御部２３が２個の復調器２１、２２から出力される信号ｂ３、ｂ４の一方又は両方について遅延時間を調整するようなことも可能である。
なお、２個の復調器２１、２２から出力される信号ｂ３、ｂ４の遅延時間を調整する態様としては、例えば、予め定められた遅延時間の値が切替器２４に固定的に設定されるような態様が用いられてもよい。
【００３３】
制御部２３は、２個の復調器２１、２２から入力された情報に基づいて、切替器２４に対して切替制御信号ｃ１を出力して、当該切替器２４を制御する。
切替器２４は、制御部２３から入力された切替制御信号ｃ１により制御されて、２個の復調器２１、２２から入力された２系統の信号ｂ３、ｂ４のうちの１系統の信号を選択し、選択した信号ｂ５を送信装置２５へ出力する。また、切替器２４は、２個の復調器２１、２２から入力された信号ｂ３、ｂ４に対して遅延時間の調整を行う。
送信装置２５は、切替器２４から入力された信号ｂ５をデジタル放送信号として放送（送信）する。
【００３４】
図２には、受信側（ＳＴＬ受信装置の側）の構成例を示してあり、特に、切替器２４の構成例を示してある。
なお、本例では、送信装置２５として、２個の放送装置（１号機、２号機）５１、５２を備えた構成を示してある。
本例の切替器２４は、制御器６１と、２個のメモリ（遅延メモリ）６２、６３と、選択器６４と、分配器６５を備えている。
【００３５】
本例の切替器２４において行われる動作の一例を示す。
制御器６１は、制御部２３から入力された切替制御信号ｃ１に基づいて、２個の復調器２１、２２から入力される２系統の信号ｂ３、ｂ４のうちの１系統の信号を選択するように選択器６４を制御する。
また、制御器６１は、２個のメモリ６２、６３のそれぞれの遅延量（遅延時間）を制御する。なお、各メモリ６２、６３の遅延量が固定的に設定される場合には、制御されなくてもよい。
メモリ６２は、復調器２１から入力された信号ｂ３を記憶して選択器６４へ出力し、これに際して、当該信号ｂ３に対して遅延を与える。
メモリ６３は、復調器２２から入力された信号ｂ４を記憶して選択器６４へ出力し、これに際して、当該信号ｂ４に対して遅延を与える。
なお、一方又は両方のメモリ６２、６３の遅延量（遅延時間）として、ゼロ（０）の値が設定されてもよい。
【００３６】
選択器６４は、制御器６１により制御されて、２個のメモリ６２、６３のうちの一方に記憶されて出力された信号を選択し、選択した信号（信号ｂ３又は信号ｂ４の一方）を分配器６５へ出力する。
分配器６５は、選択器６４から入力された信号を２つに分配し、各分配信号（信号ｂ５に対応するもの）を各放送装置５１、５２へ出力する。
各放送装置５１、５２は、分配器６５から入力された信号を例えば無線送信して放送する。
【００３７】
図３（ａ）〜（ｉ）には、図１に示される各信号のタイミングの一例を示してある。なお、横軸は時刻ｔを表している。
図３において、（ａ）には変調器３に入力される信号ａ１のタイミングを示してあり、（ｂ）には変調器４に入力される信号ａ２のタイミングを示してあり、これらの信号ａ１、ａ２のタイミングは同一である。
図３において、（ｃ）には変調器３から出力される信号ａ３のタイミングを示してあり、この信号ａ３には変調器３での遅延ｄ１が発生しており、（ｄ）には変調器４から出力される信号ａ４のタイミングを示してあり、この信号ａ４には変調器４での遅延ｄ２が発生している。
本例では、有線伝送路４１に対応した変調器３での処理遅延ｄ１の方が無線伝送路４２に対応した変調器４での処理遅延ｄ２よりも小さい遅延時間となるようにモード１、２が設定されている。
【００３８】
図３において、（ｅ）には復調器２１に入力される信号ｂ１のタイミングを示してあり、この信号ｂ１には有線伝送路４１での遅延ｄ３が発生しており、（ｆ）には復調器２２に入力される信号ｂ２のタイミングを示してあり、この信号ｂ２には無線伝送路４２での遅延ｄ４が発生している。
ここで、一般に、有線伝送路４１での遅延（遅延時間Ｄｗ）ｄ３の方が無線伝送路４２での遅延（遅延時間Ｄｌ）ｄ４より大きく、つまり、Ｄｗ＞Ｄｌとなる。
【００３９】
図３において、（ｇ）には復調器２１から出力される信号ｂ３のタイミングを示してあり、この信号ｂ３には復調器２１での遅延ｄ５が発生しており、（ｈ）には復調器２２から出力される信号ｂ４のタイミングを示してあり、この信号ｂ４には復調器２２での遅延ｄ６が発生している。
本例では、有線伝送路４１に対応した復調器２１での処理遅延ｄ５の方が無線伝送路４２に対応した復調器２２での処理遅延ｄ６よりも小さい遅延時間となるようにモード１、２が設定されている。
【００４０】
図３において、（ｉ）には切替器２４から出力される信号ｂ５のタイミングを示してある。
本例の方式（本方式）による信号ｂ５の出力タイミングの方が、図４及び図５に示される方式（比較方式）による信号ｂ１５（信号ｂ５に対応するもの）の出力タイミングよりも、時間的に早くなり、つまり、遅延時間が小さくなる。この理由は、本例では、有線伝送路４１に対応した変調器３及び復調器２１において、モード１と比較して処理時間が小さくなるモード２を設定しているためである。
【００４１】
また、本例では、２個の復調器２１、２２から出力される信号ｂ３、ｂ４には伝送路４１、４２や変調器３、４や復調器２１、２２における遅延差が発生しており、系統の選択を単純に行うと信号が途切れるため、制御部２３により制御される切替器２４により復調器からの出力信号（本例では、復調器２１からの出力信号ｂ３）に遅延を与え、遅延差を吸収した後に切り替えた信号ｂ５を送信装置２５へ出力する。
【００４２】
このように、本例では、各変調器３、４及び各復調器２１、２２における誤り訂正符号量（誤り訂正符号化率）やインターリーブ時間（及びデインタリーブ時間）を可変に設定することが可能な構成としてあり、図４及び図５に示されるように有線伝送路４１の系統と無線伝送路４２の系統とで誤り訂正符号量とインターリーブ時間（及びデインターリーブ時間）のモードとして同じモード１を設定するのではなく、有線伝送路４１の系統と無線伝送路４２の系統とで誤り訂正符号量とインターリーブ時間（及びデインターリーブ時間）のモードとして異なるモード１、２を設定している。
【００４３】
具体的には、一般に、有線伝送路４１を用いる場合には、無線伝送路４２を用いる場合と比べて、ノイズに強いため、伝送品質を保ちながら、誤り訂正符号量を減らすことや、インターリーブ時間（及びデインターリーブ時間）を短くすることが可能である。
ここで、例えば、有線伝送路４１として光信号を伝送する光伝送路を用いる場合には、ノイズに強い特性が大きく得られて好ましい。光伝送路を用いて信号を伝送（通信）する場合には、送信側（ＳＴＬ送信装置）では送信対象となる電気信号を光信号へ変換して送信する電気／光変換器（Ｅ／Ｏ変換器）を備え、受信側（ＳＴＬ受信装置）では受信した光信号を電気信号へ変換する光／電気変換器（Ｏ／Ｅ変換器）を備える。
【００４４】
本例では、有線伝送路４１に対応した変調器３及び復調器２１に設定されるモード２の方が、無線伝送路４２に対応した変調器４及び復調器２２に設定されるモード１よりも、誤り訂正符号量（誤り訂正符号化率）を小さくしてあり、且つ、インターリーブ時間（及びデインターリーブ時間）を小さく（短く）してある。これにより、有線伝送路４１の系統における変調及び復調の処理に要する時間を、無線伝送路４２の系統における変調及び復調の処理に要する時間と比べて、小さく（短く）設定してある。
【００４５】
この結果、本例では、有線伝送路４１が有する遅延ｄ３の方が無線伝送路４２が有する遅延ｄ４と比べて大きい（長い）が、有線伝送路４１の系統における変調及び復調の処理時間が無線伝送路４２の系統における変調及び復調の処理時間と比べて小さい（短い）ため、全体的には、例えば図４及び図５に示したような場合と比べて、有線伝送路４１の系統と無線伝送路４２の系統との遅延差を小さくすることができる。
このように、本例では、伝送品質を保ちながら、有線伝送路４１の系統における遅延時間と無線伝送路４２の系統における遅延時間との差を小さくすることができるため、例えば、データを無瞬断で切り替えるための遅延メモリ６２、６３の容量を小さくすることが可能であり、且つ、データ伝送装置としての遅延時間（機器の総合的な遅延量）を小さくすることが可能である。
【００４６】
以上のように、本例のデジタルデータ伝送装置では、互いに伝送特性が異なる２系統以上の伝送路に同一の信号を分配して各個別の伝送路で送信する送信装置と、各々の系統別に送信装置からの受信信号を復調して得られた複数のデータストリームの中から１系統のデータを選択する信号切替機能を有した受信装置を備え、送信装置は各系統毎に誤り訂正符号量を可変することが可能な誤り訂正符号化部１１、１３及び各系統毎にインターリーブ時間を可変することが可能なインターリーブ部１２、１４を有しており、受信装置は各系統毎にデインターリーブ時間を可変することが可能なデインターリーブ部３１、３３及び各系統毎に誤り訂正符号量を可変することが可能な誤り訂正部３２、３４を有しており、また、受信装置は各系統個別に受信データに遅延をかける遅延メモリ６２、６３及び複数の系統のうちの１つの系統の受信データを選択する選択器６４を有している。
【００４７】
なお、本例のデジタルデータ伝送装置（信号伝送装置の一例）では、送信装置において、分配装置２の機能や２つの系統の変調器３、４の機能により変調処理手段が構成されており、受信装置において、２つの系統の復調器２１、２２の機能により復調処理手段が構成されており、切替器２４に備えられたメモリ（遅延メモリ）６２、６３の機能により遅延時間の調整手段が構成されており、切替器２４に備えられた選択器６４が制御器６１により制御されて1つの系統の信号を選択して出力する機能により選択手段が構成されている。
【００４８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４９】
【図１】本発明の一実施例に係るデジタルデータ伝送装置の構成例を示す図である。
【図２】切替器の構成例を示す図である。
【図３】信号のタイミングの一例を示す図である。
【図４】デジタルデータ伝送装置の構成例を示す図である。
【図５】信号のタイミングの一例を示す図である。
【符号の説明】
【００５０】
１・・伝送信号源、  ２・・分配装置、  ３、４、７１、７２・・変調器、  １１、１３、８１、８３・・誤り訂正符号化部、  １２、１４、８２、８４・・インターリーブ部、  ２１、２２、９１、９２・・復調器、  ２３・・制御部、  ２４・・切替器、  ２５・・送信装置、  ３１、３３、１０１、１０３・・デインターリーブ部、  ３２、３４、１０２、１０４・・誤り訂正部、  ４１・・有線伝送路、  ４２・・無線伝送路、  ５１、５２・・放送装置、  ６１・・制御器、  ６２、６３・・メモリ、  ６４・・選択器、  ６５・・分配器、
ａ１〜ａ４、ａ１１〜ａ１４、ｂ１〜ｂ５、ｂ１１〜ｂ１５、ｃ１・・信号、  ｄ１〜ｄ６、ｄ１１〜ｄ１５・・遅延、
【図１】
2008131323.tif 000003
【図２】
2008131323.tif 000004
【図３】
2008131323.tif 000005
【図４】
2008131323.tif 000006
【図５】
2008131323.tif 000007